(57)【特許請求の範囲】
【請求項１】
絶縁容器の一面に所定間隔を保って固定され、大径頭部とこれに連接する小径円柱部とを有し、当該小径円柱部の先端の接触面が当該絶縁容器内に突出された一対の固定接触子と、
該一対の固定接触子の小径円柱部に対して接離可能に配設された平板状の可動接触子と、
前記一対の固定接触子の小径円柱部の外周面にそれぞれ装着されアークを前記小径円柱部の外側に駆動する一対のアーク消弧用環状永久磁石とを備え、
前記一対のアーク消弧用環状永久磁石は、前記可動接触子側がＮ極となるように軸方向に着磁されている
ことを特徴とする接点装置。
【請求項２】
前記絶縁容器は密閉容器であり、内部にガスが封入されていることを特徴とする請求項１に記載の接点装置。
【請求項３】
前記請求項１又は２に記載の接点装置を備え、前記可動接触子が電磁石装置の可動鉄心に連結され、前記固定接触子が外部接続端子に接続されていることを特徴とする電磁接触器。
【発明の詳細な説明】
【技術分野】
【０００１】
本発明は、電流路に介挿された固定接触子及び可動接触子を備えた接点装置及びこれを使用した電磁接触器に関し、固定接触子及び可動接触子の開極時すなわち電流遮断時に発生するアークを容易に消弧するようにしたものである。
【背景技術】
【０００２】
電流路の開閉を行う接点装置として、従来、電磁継電器や電磁接触器などでは、固定接触子及び可動接触子が接触している接点機構の閉成状態から電流を遮断して開成状態とするために可動接触子を固定接触子から離間させる開極時に発生するアークを消弧する接点機構が種々提案されている。
例えば、所定距離離間して配設された一対の固定接触子と、これら一対の固定接触子に接離自在に配設された可動接触子と、可動接触子を駆動する電磁石ブロックとを備え、固定接触子と可動接触子との対向位置の両側面側に対向する封止容器の外側にＵ字状の磁性保持部材が配置され、この磁性保持部材の内側に、アークを磁力で引き伸ばしてアークを消弧し易くするための一対の永久磁石が２組配置された構成を有する電磁継電器が提案されている（例えば、特許文献１参照）。
【先行技術文献】
【特許文献】
【０００３】
【特許文献１】特開２０１０−１００５７号公報
【発明の概要】
【発明が解決しようとする課題】
【０００４】
ところで、上記特許文献１に記載の従来例にあっては、一対の固定接触子と可動接触子との対向位置にそれぞれ一対の永久磁石を対向させて配置することにより、一対の固定接触子から可動接触子を離間させる開極時に発生するアークを、永久磁石の磁力によって引っ張ってアークを消弧し易くするものである。
しかしながら、上記従来例では、永久磁石の磁力によってアークを引き伸ばして消弧し易くなるものの、アークを確実に消すためには一対の固定接触子と可動接触子との間のギャップを大きくせざるを得ないという未解決の課題がある。
【０００５】
また、上記従来例では、封止容器の外側にＵ字状の磁性支持部材とこれに支持された一対の永久磁石が二組必要となり、部品点数が増加し、組立工数が多くなると共に、製造コストも嵩むという未解決の課題がある。
そこで、本発明は、上記従来例の未解決の課題に着目してなされたものであり、固定接触子及び可動接触子間のギャップを小さくすることができるとともに、部品点数を少なくして製造コストを低減することができる接点装置及びこれを使用した電磁接触器を提供することを目的としている。
【課題を解決するための手段】
【０００６】
上記目的を達成するために、本発明の一の形態に係る接点装置は、絶縁容器の一面に所定間隔を保って固定され、大径頭部とこれに連接する小径円柱部とを有し、当該小径円柱部の先端の接触面が当該絶縁容器内に突出された一対の固定接触子と、該一対の固定接触子の小径円柱部に対して接離可能に配設された平板状の可動接触子と、前記一対の固定接触子の小径円柱部の外周面にそれぞれ装着されアークを前記小径円柱部の外側に駆動する一対のアーク消弧用環状永久磁石とを備え、前記一対のアーク消弧用環状永久磁石は、前記可動接触子側がＮ極となるように軸方向に着磁されていることを特徴としている。
【０００７】
この構成によると、柱状の固定接触子の外周面に軸方向に着磁されたアーク消弧用環状永久磁石が装着されているので、このアーク消弧用環状永久磁石の磁力によって固定接触子から可動接触子を離間させる際に発生するアークをアーク消弧用環状永久磁石の外側に駆動することができる。これに加えて、固定接触子を通る電流による磁界によってアークを円周方向に回転させて冷却を促進することができ、短いギャップで電流遮断が可能となる。
【０００８】
また、アーク消弧用環状永久磁石の可動接触子側がＮ極に着磁されているので、このＮ極から永久磁石の外側を通ってＳ極に至る磁力が形成され、アークをアーク消弧用環状永久磁石の外側に駆動することができる。
【０００９】
また、本発明の他の形態に係る接点装置は、前記絶縁容器は密閉容器であり、内部にガスが封入されていることを特徴としている。
この構成によると、固定接点及び可動接点がガスを封入した密閉容器内に配置されるので、アークの消去をより確実に行うことができる。
【００１０】
また、本発明の一の形態に係る電磁接触器は、上記各形態の何れか１つの形態の接点装置を備え、前記可動接触子が操作用電磁石の可動鉄心に連結され、前記固定接触子が外部接続端子に接続されていることを特徴としている。
この構成によると、部品点数を少なくして、組立工数を低減するとともに、製造コストを低減することができる電磁接触器を提供することができる。
【発明の効果】
【００１１】
本発明によれば、柱状の固定接触子の外周面にアーク消弧用環状永久磁石を配置したので、固定接触子から可動接触子を離間させる開極時に発生するアークをアーク消弧用環状永久磁石の磁力によって、アーク消弧用環状永久磁石の外側に駆動し、さらに固定接触子を通る電流による磁界によって、アークを円周方向に回転させて冷却を促進することができる。このため、固定接触子及び可動接触子間のギャップを短くすることができる。しかも、固定接触子の外周面にアーク消弧用環状永久磁石を装着するだけでよいので、部品点数を少なくして、組立工数を低減できるとともに、製造コストを低減できる。
また、上記効果を有する接点装置を電磁開閉器に適用することにより、部品点数を少なくして、組立工数を低減するとともに、製造コストを低減することができる電磁接触器を提供することができる。
【図面の簡単な説明】
【００１２】
【図１】本発明を電磁接触器に適用した場合の第１の実施形態を示す断面図である。
【図２】本発明の接点装置を拡大して示す図であって、（ａ）は断面図、（ｂ）は（ａ）のＡ−Ａ線上の断面図である。
【図３】本発明による電磁接触器の分解斜視図である。
【発明を実施するための形態】
【００１３】
以下、本発明の実施の形態を図面に基づいて説明する。
図１は本発明の接点装置を電磁開閉器としての電磁接触器に適用した場合の一例を示す断面図である。この図１において、１は例えば合成樹脂製の外装ケースである。この外装ケース１は、下端面が開放された有底筒体１ａと、この有底筒体１ａの下端面を閉塞する底板１ｂとで構成されている。
外装ケース１内には、接点機構を配置した接点装置２と、この接点装置２を駆動する電磁石ユニット３とが電磁石ユニット３を底板１ｂ上に配置した関係で収納されている。
【００１４】
接点装置２は、図２及び図３とともに参照して明らかなように、略直方体状の下端を開放した上部ケース４ａと下部ケース４ｂとの２分割構造を有する絶縁密閉容器４を有する。この絶縁密閉容器４の上面には、長手方向に所定間隔を保って断面円形の貫通孔５ａ，５ｂが設けられ、これら貫通孔５ａ，５ｂ内に例えば銅製の一対の固定接触子６ａ，６ｂが挿通されて接着剤等によって固定されている。
【００１５】
この固定接触子６ａ，６ｂのそれぞれは、上部側の大径頭部７とこの大径頭部７と同軸的に連接された下部側の小径円柱部８とで構成されている。そして、小径円柱部８の外周面に円筒状のアーク消弧用環状永久磁石９ａ，９ｂが装着され、接着剤等で固定されている。これらアーク消弧用環状永久磁石９ａ，９ｂのそれぞれは、後述する可動接触子１１側の下面側がＮ極となり、大径頭部７側がＳ極となるように軸方向に着磁されている。
【００１６】
ここで、アーク消弧用環状永久磁石９ａ，９ｂの下端面は、固定接触子６ａ，６ｂの小径円柱部８の下端面より上方側に位置するように配置されているが、小径円柱部８の下面と面一とするようにしてもよく、要は後述するようにアークをアーク消弧用環状永久磁石９ａ，９ｂの外側に駆動できればよいものであり、下端面の高さ位置が限定されるものではない。
【００１７】
このアーク消弧用環状永久磁石９ａ，９ｂを装着した固定接触子６ａ，６ｂがそのアーク消弧用環状永久磁石９ａ、９ｂ及び小径円柱部８を上部ケース４ａの貫通孔５ａ，５ｂ内に挿通した状態で上部ケース４ａに接着材等によって貫通孔５ａ，５ｂを密封するように固定されている。
また、接点装置２は、固定接触子６ａ，６ｂの小径円柱部８の下端面に短い所定のギャップを隔てて平板状の可動接触子１１が接離可能に対向配置されている。この可動接触子１１は接触子ホルダ１２に接触スプリング１３によって上方に付勢されて装着されている。
【００１８】
接触子ホルダ１２は、下部ケース４ｂに形成された挿通孔１４に挿通されて上下方向に案内され、後述する電磁石ユニット３の可動鉄心に連結されて上下方向に駆動される。
そして、上部ケース４ａ及び下部ケース４ｂで構成される絶縁密閉容器４内にガスが封入されている。
さらに、固定接触子６ａ，６ｂの大径頭部７には外部接続端子板１５ａ，１５ｂがビス止めされている。
【００１９】
電磁石ユニット３は、図１及び図３に示すように、側面から見てＵ字形状の磁気ヨーク２１を有し、この磁気ヨーク２１の底板部２１ａの中央部に下端を開放した円筒部２１ｂが形成されている。この磁気ヨーク２１の上面側が上面磁気ヨーク２２によって連接されている。
磁気ヨーク２１の円筒部２１ｂの外周面には励磁コイル２３を巻装したコイルホルダ２４が装着され、円筒部２１ｂの内周面には可動鉄心２５を摺動可能に内装した有底円筒状のキャップ２６が配設されている。このキャップ２６の底面には、可動鉄心２５の底面と接触して可動鉄心２５の下降時の衝撃を吸収するゴム座２７が配設されている。
【００２０】
可動鉄心２５には、中心部に連結軸２８が嵌合され、この連結軸２８の頭部が上面磁気ヨーク２２に形成された貫通孔２９を通じて上方に延長され、接触子ホルダ１２に連結されている。
また、可動鉄心２５の連結軸２８の周囲にスプリング挿通孔３０が形成され、このスプリング挿通孔３０と上面磁気ヨーク２２との間に可動鉄心２５を下方に付勢する復帰スプリング３１が装着されている。
また、絶縁密閉容器４と上面磁気ヨーク２２とが接合部材３２によって接合されている。
【００２１】
次に、上記実施形態の動作を説明する。
今、外部接続端子板１５ａが例えば大電流を供給する電力供給源に接続し、外部接続端子板１５ｂが負荷に接続されているものとする。
この状態で、電磁石ユニット３における励磁コイル２３が非通電状態にあって、電磁石ユニット３で可動鉄心２５を可動させる励磁力を発生していないものとする。この状態では、可動鉄心２５が復帰スプリング３１によって、上面磁気ヨーク２２から離れる下方向に付勢されて、ゴム座２７に当接した状態となる。このため、可動鉄心２５に連結軸２８を介して連結された接触子ホルダ１２に支持された可動接触子１１は、固定接触子６ａ，６ｂの小径円柱部８の下端面から所定の短いギャップを挟んで対向しており、接点装置２が開成状態となっている。
【００２２】
この接点装置２の開成状態から、電磁石ユニット３の励磁コイル２３に電圧を印加すると、この電磁石ユニット３で励磁力を発生させて、可動鉄心２５を復帰スプリング３１に抗して上方に押し上げる。これに応じて、可動鉄心２５に連結軸２８を介して連結されている接触子ホルダ１２が上方に移動し、可動接触子１１が固定接触子６ａ，６ｂの小径円柱部８の底面に接触スプリング１３の接触圧で接触する。
このため、外部電力供給源の大電流ｉが外部接続端子板１５ａ、固定接触子６ａ、可動接触子１１、固定接触子６ｂ及び外部接続端子板１５ｂを通じて負荷に供給される閉成状態となる。
この接点装置２の閉成状態から、負荷への電流供給を遮断する場合には、電磁石ユニット３の励磁コイル２３への電圧印加を停止する。
【００２３】
これによって、電磁石ユニット３で可動鉄心２５を上方に移動させる励磁力がなくなることにより、可動鉄心２５が復帰スプリング３１の付勢力によって下降する。この可動鉄心２５が下降することにより、連結軸２８を介して連結された接触子ホルダ１２が下降し、これに応じて接触スプリング１３で接触圧を与えている間は可動接触子１１が固定接触子６ａ，６ｂに接触している。その後、接触スプリング１３の接触圧がなくなった時点で可動接触子１１が固定接触子６ａ，６ｂから下方に離間する開極状態となる。
【００２４】
この開極状態となると、固定接触子６ａ，６ｂと可動接触子１１との間にアークが発生する。このとき、アーク消弧用環状永久磁石９ａ，９ｂは、可動接触子１１側となる下端側がＮ極に、上端側がＳ極に着磁されている。このため、図２（ａ）に示すように、アーク消弧用環状永久磁石９ａ，９ｂの下端のＮ極からアーク消弧用環状永久磁石９ａ，９ｂの外側を通って上端のＳ極に至る磁束φ１が形成されている。したがって、アークは、アーク消弧用環状永久磁石９ａ，９ｂの磁束φ１と固定接触子６ａ，６ｂを流れる電流とによって、フレミングの左手の法則にしたがってアーク消弧用環状永久磁石９ａ，９ｂの外側に駆動されることになる。
【００２５】
さらに、固定接触子６ａには、下向きに大電流が流れているので、自己電流経路の磁界によって、図２（ｂ）に示すように、反時計方向の磁束φ２が発生し、この磁束φ２によってアークが円周方向に回転されて冷却（エネルギの吸収）が促進される。
このアークの冷却の促進を行うための構成が、固定接触子６ａ，６ｂの小径円柱部８の外周面にアーク消弧用環状永久磁石９ａ，９ｂを装着するだけで良く、前述した従来例のように磁気ヨークとなる磁性支持部材を設ける必要がないので、部品点数を減少させることができる。このため、組立工数を低減することができるとともに、製造コストを低減することができる。
【００２６】
しかも、アークの消弧が的確に行われることにより、固定接触子６ａ，６ｂと可動接触子１１との間のギャップを狭くすることが可能となり、電流を遮断する開極時間を短縮することができる。
なお、上記実施形態においては、固定接触子６ａ，６ｂを大径頭部７と小径円柱部８とで構成する場合について説明したが、これに限定されるものではなく、固定接触子６ａ，６ｂの全体を円柱状に形成してもよい。
【００２７】
また、固定接触子６ａ，６ｂの小径円柱部８の断面形状は円形に限定されるものではなく、楕円形、方形等の任意の断面形状とすることができ、これに応じてアーク消弧用環状永久磁石９ａ，９ｂの断面形状を変更にすればよい。
さらに、上記実施形態においては、アーク消弧用環状永久磁石９ａ，９ｂの外周面の一部が露出している場合について説明したが、これに限定されるものではなく、アーク消弧用環状永久磁石９ａ，９ｂの露出部を非磁性の保護筒体で覆うようにしてもよい。
【００２８】
さらに、上記実施形態においては、消弧室となる絶縁密閉容器４にガスを封入する場合について説明したが、これに限定されるものではなく、ガスの封入を省略してもよい。
また、上記実施形態においては、可動接触子１１の形状が平板状に形成されている場合について説明したが、これに限定されるものではなく、可動接触子１１の固定接触子６ａ，６ｂに対向する接点部間の中央部を凹状又は凸状に形成してもよい。
【００２９】
さらに、電磁石ユニット３の構成も上記実施形態に限定されるものではなく、接触子ホルダ１２を電磁力で可動させることができれば任意の構成を適用することができる。
さらに、上記実施形態においては、本発明の接点装置２を電磁接触器に適用した場合について説明したが、これに限定されるものではなく、電磁継電器や他の電磁開閉器を含む任意の開閉器に適用できる。
【符号の説明】
【００３０】
１…外装ケース、２…接点装置、３…電磁石ユニット、４…絶縁密閉容器、４ａ…上部ケース、４ｂ…下部ケース、６ａ，６ｂ…固定接触子、７…大径頭部、８…小径円柱部、９ａ，９ｂ…アーク消弧用環状永久磁石、１１…可動接触子、１２…接触子ホルダ、１３…接触スプリング、１５ａ，１５ｂ…外部接続端子板、２１…磁気ヨーク、２２…上面磁気ヨーク、２３…励磁コイル、２４…コイルホルダ、２５…可動鉄心、２６…キャップ、２８…連結軸、３１…復帰スプリング
【図１】
0005437949.tif 000002
【図２】
0005437949.tif 000003
【図３】
0005437949.tif 000004